(57)【要約】【課題】  電力供給を停止させることなく電力量計の交換作業を行うことができる電力量計アダプタでありながら、コストを抑制し、空間的に嵩張らずに、アダプタを短絡状態と非短絡状態に容易に切り替えることができる電力量計アダプタを提供すること。【解決手段】  電力量計Ａまたは電力量計Ａに連なる電線Ｋ,Ｋ…に対して取り付けられるアダプタ本体Ｂと、該アダプタ本体Ｂに対してその何れか一方を着脱自在に取付けられるコネクタＣ及びカバー体Ｄとからなり、前記アダプタ本体Ｂは、前記各電線Ｋ,Ｋ…と接続してバイパス回路を形成するための接続部Ｌ,Ｌ…と、該接続部Ｌ,Ｌ…の上部に窪み穴状の開口部５,５…とを備え、前記コネクタＣは、前記窪み穴状の開口部５,５…を通して接続部Ｌ,Ｌ…と連結させる接続端６ａ,６ａ…を外方に突出させた接続子６,６…を備えている構成としたこと。【選択図】        図１
2005351694.tif 000002
【特許請求の範囲】
【請求項１】
電力量計(A)または電力量計(A)に連なる電線(K),(K)…に対して取り付けられるアダプタ本体(B)と、該アダプタ本体(B)に対してその何れか一方を着脱自在に取付けられるコネクタ(C)及びカバー体(D)とからなり、前記アダプタ本体(B)は、前記各電線(K),(K)…と接続してバイパス回路を形成するための接続部(L),(L)…と、該接続部(L),(L)…の上部に窪み穴状の開口部(5),(5)…とを備え、前記コネクタ(C)は、前記窪み穴状の開口部(5),(5)…を通して接続部(L),(L)…と連結させる接続端(6a),(6a)…を外方に突出させた接続子(6),(6)…を備えている電力量計アダプタ。
【請求項２】
電力量計(A)に連なる電線(K),(K)…に対して取り付けられるアダプタ本体(B)と、該アダプタ本体(B)に対してその何れか一方を着脱自在に取付けられるコネクタ(C)及びカバー体(D)とからなり、前記アダプタ本体(B)は、前記各電線(K),(K)…に対して接続する複数の接続金具(3),(3)…と、各電線(K),(K)…に対して接続させた接続金具(3),(3)…の上部に窪み穴状の開口部(5),(5)…とを備えていて、前記コネクタ(C)は、前記窪み穴状の開口部(5),(5)…を通して前記接続金具(3),(3)…と連結させる接続端(6a),(6a)…を外方に突出させた接続子(6),(6)…を備えている電力量計アダプタ。
【請求項３】
電力量計(A)に取り付けられるアダプタ本体(B)と、該アダプタ本体(B)に対してその何れか一方を着脱自在に取付けられるコネクタ(C)及びカバー体(D)とからなり、前記アダプタ本体(B)は、電力量計(A)に接続される出入力端子(12),(12)…を上端に有し、外部電線接続部(13b),(13b)…を下端に有する複数対の端子金具(13),(13)…と、該端子金具(13),(13)を収容するケース(14)と、該ケース(14)の側面に形成された窪み穴状の開口部(5),(5)…とを備えていて、前記コネクタ(C)は、前記窪み穴状の開口部(5),(5)…を通して前記端子金具(13),(13)…と連結させる接続端(6a),(6a)…を外方に突出させた接続子(6),(6)…とを備えている電力量計アダプタ。
【発明の詳細な説明】
【技術分野】
【０００１】
本発明は、電力使用量を計量する電力量計あるいは電力量計に接続してある入出力電線に取り付けて使用する電力量計アダプタに関する。
【背景技術】
【０００２】
一般に、家庭や事業所で使用される電力量は、各戸や各事業所毎に個別に取り付けられた電力量計で計測され、このデーターに基づいて電力料金が電力会社に支払われている。したがって、この電力量計は誤作動なく常に正確に電力量を計量できるものでなければならず、かつ、正確さを維持できるものでなければならない。そのため、電力量計は通常１０年以内のサイクルで新品と交換されているのが現状である。
【０００３】
しかしながら、この交換時や補修時には、電力量計に接続されている外部電線と室内引込用内部電線とを取外さなければならず、外部電線は活線であるから危険性を伴わないよう各線毎に絶縁しなければならないこともあり、相当な時間を要するものであり、何十分間かまたはそれ以上の停電が余儀なくされ、電力使用者に対し大変迷惑をかけていた。殊に、事業所は言うまでもなく、一般家庭にあっても、パソコン等を使用して外部とのネットワーク通信を行っている場合や時刻設定されている各種の機器には、この電力量計の交換時や修理のための停電によって生ずる負担は決して小さいものではない。
【０００４】
そこで本発明者は、電力量計に簡単なアダプタを取り付けることによって、現場での作業を大幅に改善して、短時間で簡単に電力量計の交換ができ、交換時に迂回電力回路、即ち短絡回路を形成して電力供給を停止させることなく行うことができるようにした電力量計用のアダプタを先に提案した。
【０００５】
この一例として、特許第３０７９２８９号公報や特許第３４０４５５４号公報には、アダプタ本体の開口部に収納された同極の接続金具同士を短絡及び非短絡する三組の接続子と、該接続子を短絡位置並びに非短絡位置に移動させる移動手段とを備えたコネクタをアダプタ本体に取り付けた構成が示されている。
【特許文献１】特許第３０７９２８９号公報
【特許文献２】特許第３４０４５４４号公報
【発明の開示】
【発明が解決しようとする課題】
【０００６】
この先行発明によれば、移動手段を操作するだけで容易に短絡状態と非短絡状態に切り替えることができるが、接続子と移動手段の両方を備えたコネクタの構造が複雑でコストがかかり、また接続子と移動手段の両方を備えているため設置スペースも嵩張るといった課題を残していた。
【０００７】
そこで本発明は、従来のように、電力供給を停止させることなく電力量計の交換作業を行うことができる電力量計アダプタでありながら、コストを抑制し、空間的に嵩張らずに、アダプタを短絡状態と非短絡状態に容易に切り替えることができる電力量計アダプタの提供を主たる目的とするものである。
【課題を解決するための手段】
【０００８】
上記目的を達成するために講じた本発明の構成を実施例に使用した符合を用いて説明すると、本発明の電力量計アダプタは、電力量計Ａまたは電力量計Ａに連なる電線Ｋ,Ｋ…に対して取り付けられるアダプタ本体Ｂと、該アダプタ本体Ｂに対してその何れか一方を着脱自在に取付けられるコネクタＣ及びカバー体Ｄとからなり、前記アダプタ本体Ｂは、前記各電線Ｋ,Ｋ…と接続してバイパス回路を形成するための接続部Ｌ,Ｌ…と、該接続部Ｌ,Ｌ…の上部に窪み穴状の開口部５,５…とを備え、前記コネクタＣは、前記窪み穴状の開口部５,５…を通して接続部Ｌ,Ｌ…と連結させる接続端６ａ,６ａ…を外方に突出させた接続子６,６…を備えている構成としたものである。
【発明の効果】
【０００９】
本発明にいう電力量計アダプタは、アダプタ本体が、各電線と接続してバイパス回路を形成するための接続部と、該接続部の上部に窪み穴状の開口部とを備え、コネクタが、窪み穴状の開口部を通して接続部と連結させる接続端を外方に突出させた接続子を備えている構成であるから、電力量計の交換時には、コネクタをアダプタ本体に取り付けるだけで、アダプタ本体に形成された窪み穴状の開口部を通して、コネクタに取り付けられた接続子の接続端とアダプタ本体の接続部が連結して短絡状態となり、電力供給を停止させることなく電力量計を交換することができる。また、該接続部の上部に窪み穴状の開口部を備えている構成であるから、電力量計の非交換時、すなわち平常時には、カバー体をアダプタ本体に取り付けておくと、アダプタ本体の接続部を外部と遮蔽した上で、アダプタ本体の接続部の上部に窪み穴状の開口部が存在して接続部とカバー体が接することがなく、安定的に非短絡状態を維持することができる。
【００１０】
また、コネクタは最低限接続子を備えたものであればよいので、構造が簡素で、空間的に嵩張ることがなく、取り扱いが容易であり、かつ、コストを抑制して生産性の向上、消費の拡大を図ることができる。
【発明を実施するための最良の形態】
【００１１】
本発明の電力量計アダプタを実施するにあたって、一実施形態として電力量計Ａに連なる電線Ｋ,Ｋ…に対して取り付けられるアダプタ本体Ｂと、該アダプタ本体Ｂに対してその何れか一方を着脱自在に取付けられるコネクタＣ及びカバー体Ｄとからなり、前記アダプタ本体Ｂは、前記各電線Ｋ,Ｋ…に対して接続する複数の接続金具３,３…と、各電線Ｋ,Ｋ…に対して接続させた接続金具３,３…の上部に窪み穴状の開口部５,５…とを備えていて、前記コネクタＣは、前記窪み穴状の開口部５,５…を通して前記接続金具３,３…と連結させる接続端６ａ,６ａ…を外方に突出させた接続子６,６…を備えている構成として実施することができる。
【００１２】
また、電力量計Ａに取り付けられるアダプタ本体Ｂと、該アダプタ本体Ｂに対してその何れか一方を着脱自在に取付けられるコネクタＣ及びカバー体Ｄとからなり、前記アダプタ本体Ｂは、電力量計Ａに接続される出入力端子１２,１２…を上端に有し、外部電線接続部１３ｂ,１３ｂ…を下端に有する複数対の端子金具１３,１３…と、該端子金具１３,１３…を収容するケース１４と、該ケース１４の側面に形成された窪み穴状の開口部５,５…とを備えていて、前記コネクタＣは、前記窪み穴状の開口部５,５…を通して前記端子金具１３,１３…と連結させる接続端６ａ,６ａ…を外方に突出させた接続子６,６…とを備えている構成として実施することができる。
【００１３】
本発明にかかる接続部Ｌは、後述する実施例で示すように、電線Ｋと通電状態に接続する接続金具３を用いたり、電線Ｋと電力量計を連結する導電性の端子金具１３の一部を用いたり、あるいはその他の構成で実施してもよく、一定の深さを有する窪み穴状の開口部５を通して、接続部ＬとコネクタＣに組み込まれた接続子６の接続端６ａが連結でき、前述した作用効果を奏する構成であればよい。
【実施例】
【００１４】
以下、本発明の実施例を図示例と共に説明する。図１乃至図８は本願発明の第１実施例を示す図であって、図１はコネクタを取り付けた電力量計アダプタの縦断側面図、図２はカバー体を取り付けた電力量計アダプタの縦断側面図、図３は電力量計アダプタにおけるアダプタ本体の正面図、図４は図２におけるＥ−Ｅ線に沿った分解横断面図、図５は接続金具図の斜視図、図６はコネクタとアダプタを分解した横断面図、図７はカバー体とアダプタを分解した横断面図、図８は接続子の斜視図を示す。
【００１５】
符号Ａは、電力量計であって、一般家庭や事業所に設置されているものと同じであり、下部には図３で示すように３本の入力側の電線Ｋａ，Ｋａ，Ｋａと、室内への３本の出力側の電線Ｋｂ，Ｋｂ，Ｋｂとが個別に接続されている。
【００１６】
符号Ｂは本発明に係るアダプタ本体であって、各電線Ｋ，Ｋ…を壁面側からと表面側からとで挟み付けて保持する分離可能な受板１並びに表板２と、これらの受板１と表板２とを連結する連結手段４とを備えている。更に表板２には、各電線Ｋ，Ｋ…に対して良導体製の６個の接続金具３，３…を夫々の電線Ｋ，Ｋ…に対して電導状態に圧入接続させたとき、それぞれの接続金具３，３…の上面が沈み込む窪み穴状の開口部５，５…が設けられている。この窪み穴状の開口部５，５…は後述する接続子６，６…の接続端６ａ，６ａ…を受け入れて接続金具３，３…に接続する通路を兼用している。
【００１７】
受板１には、図４に示したように、各電線Ｋ，Ｋ…を受ける凹面座１ａ,１ａ…を先端に備えたダボ１ｂ，１ｂ…を有し、このダボ１ｂ，１ｂ…を受け入れる断面Ｕの字状の溝２ａ，２ａ…が表板２の相対する面に設けられており、これら凹面座１ａ,１ａ…と溝２ａ，２ａ…との間に各電線を個別に保持するほぼ平行な溝穴Ｇ、Ｇ…を形成して、各電線Ｋ，Ｋ…を挟み込んで狭着することにより、アダプタ本体Ｂによって電線Ｋ，Ｋ…を保持できるようにしてある。
【００１８】
接続金具３は、図５に示すように、例えば黄銅製板のような良導体で硬度を備えた金属板を断面略コの字状に屈曲して、かつＵ字形の切欠きが形成され、両端で起立された爪片３ａ，３ａが電線Ｋ，Ｋ…の被覆上から圧入されることにより内部導線と電気的に接続できる構造となっており、平らな表面３ｂは、コネクタＣに組み込まれた接続子６，６…の接続端６ａ，６ａ…と接する接続部Ｌとなっている。
【００１９】
本実施例において、受板１と表板２とを連結する連結手段４は、図４に見られるように、断面視コの字状のロック板４ａの両端立上り部４ｂ，４ｂ…の先端部にフック４ｃ，４ｃ…を形成して、このフック４ｃ，４ｃ…を表板２に設けた係合段部２ｂに弾力的に係合させることにより達成している。しかしながら、これに代えて一般的なビスやボルトによる螺合によって連結するようにしてもよいのは言うまでもない。
【００２０】
符号Ｃは、電力量計の取り換えや故障修理時のような所要時に、アダプタ本体Ｂに連結して使用されるコネクタであって、図６に見られるように、アダプタ本体Ｂに収納された同極の接続金具３同士を短絡する３つの接続子６，６，６と、該３つの接続子６，６，６をそれぞれ内部に保持する１つの略直方体状の接続子ブロック７を備え、該接続子ブロック７には、コネクタＣをアダプタ本体Ｂに取付ビス９で取り付けるための取付ビス挿通穴７ａが形成してある。該三つの接続子６，６，６は、図６及び図８に示すように、それぞれ相互の接触を避けるために中央、中程、外側と順次大形となる正面視コの字型に形成され、その両端をコの字型の両立ち上げ辺の対向する方向に折り返して、接続金具３，３…と連結する接続端６ａ，６ａ…としてある。そして、三つの接続子６，６，６は、接続子ブロック７に相互に隔離して組み込んであり、その接続端６ａ，６ａ…は、アダプタ本体Ｂの窪み穴状の開口部５，５…を通して接続金具３，３…と連結することができるように、接続子ブロック７のアダプタ本体Ｂとの連結面７ｂから突出させてある。
【００２１】
符合Ｄは、電力量計の取り換えや故障修理等を行わない平常時に、アダプタ本体Ｂに取り付けて使用される絶縁性のカバー体であり、図７に見られるように、平板８ａと、平板８ａの４辺から断面形状コの字型になるように立ち上げられた立ち上げ辺８ｂと、カバー体Ｄをアダプタ本体Ｂに取り付けるための固定ビス１０を挿通させる固定ビス挿通穴８ｃとが形成されている。
【００２２】
以上のごとく構成されたアダプタは、最初にアダプタ本体Ｂのみを電力量計Ａの下方位置で、各電線Ｋ，Ｋ…が電力量計Ａに連結されている状態で、先ず、連結手段４のロック板４ａを壁面に固定し、電線Ｋ，Ｋ…の裏側に受板１を配置して各電線Ｋ，Ｋ…をダボ１ｂ，１ｂ…の凹面座１ａ，１ａ…上に合わせ、この状態で表板２の溝２ａをダボ１ｂに嵌めこんで連結手段４によって受板１と表板２とを連結固定する。そして表板２の窪み穴状の開口部５，５…から接続金具３，３…を圧入する。この際、接続金具３，３…は電線Ｋ，Ｋに対して１つずつ独立的に圧入して通電状態にさせることにより、電力量計Ａへの電力供給を停止させることなく行うことができる。
【００２３】
而して、通常は、図２及び図７に見られるように、内面に絶縁用ラバーを貼着してある着脱自在なカバー体Ｄをアダプタ本体Ｂの正面側から被せることによって窪み穴状の開口部５，５…を閉じ、カバー体Ｄの固定ビス挿通穴８ｃを通してネジ孔２ｃにカバー体Ｄの固定ビス１０を螺入して閉鎖姿勢に保持しておく。電力量計の交換等の作業を行う場合は、固定ビス１０を取り外してカバー体Ｄを除去し、図１及び図６に見られるように、コネクタＣの取り付けビス挿通穴７ａを通してネジ孔２ｃにコネクタＣの取付ビス９を螺入することにより、コネクタＣをアダプタ本体Ｂに取り付ける。コネクタＣのアダプタ本体Ｂへの取り付けと同時に、接続子６，６…の接続端６ａ，６ａ…が接続金具３，３…と連結し、同極の接続金具３同士が短絡する。これにより入力側の電線Ｋａ，Ｋａ…の電力を室内への出力側電線Ｋｂ，Ｋｂ…へ迂回させて通電させる。これにより、電力供給を停止することなく電力量計Ａの交換やこれを取外して行う補修を行うことができる。作業終了後は、コネクタＣをアダプタ本体Ｂから取り外して、再びカバー体Ｄを取り付けてアダプタ本体Ｂの窪み穴状の開口部５，５…を閉じておけばよい。
【００２４】
図９乃至図１４は本願発明の第２実施例を示す図であって、図９はコネクタを取り付けた電力量計アダプタの縦断側面図、図１０はアダプタ本体にコネクタを取り付けた状態の正面図、図１１は図９におけるＦ−Ｆ線に沿ったアダプタ本体とコネクタの分解横断面図、図１２はアダプタ本体とカバー体の分解横断面図、図１３はアダプタ本体の斜視図、図１４はコネクタの斜視図を示す。
【００２５】
符号Ａは、電力量計であって、一般家庭や事業所に設置されているものと同じであり、下部に円柱孔状の６個の出入力端子接続部１１，１１…が設けられている。この出入力端子接続部１１，１１…に図１０に示すように３本の入力側の電線Ｋａ，Ｋａ，Ｋａが接続された入力端子１２ａ，１２ａ，１２ａと３本の出力側の電線Ｋｂ，Ｋｂ，Ｋｂが接続された出力端子１２ｂ，１２ｂ，１２ｂが接続される。
【００２６】
符号Ｂは本発明に係るアダプタであって、電力量計Ａと外部電線Ｋ，Ｋ…を接続する端子金具１３，１３…と、これら端子金具１３，１３…を収納するケース１４とからなる。
【００２７】
端子金具１３，１３…は、角柱状の金具本体１３ａ，１３ａ…と、該角柱状の金具本体１３ａ，１３ａ…の上面から上方に突出した円柱状の出入力端子１２と、該角柱状の金具本体１３ａ，１３ａ…の下面に形成された円柱孔状の外部電線接続部１３ｂ，１３ｂ…とからなる。端子金具１３，１３…の出入力端子１２を電力量計Ａの出入力端子接続部１１，１１…に挿入固定することにより、端子金具１３，１３…と電力量計Ａが接続され、電線Ｋ，Ｋ…を端子金具１３，１３…の外部電線接続部１３ｂ，１３ｂ…に挿通固定することにより、端子金具１１，１１…と電線Ｋ，Ｋ…が接続される。
【００２８】
ケース１４の正面には、窪み穴状の開口部５，５…が端子金具１３，１３…に到達する深さで設けられ、端子金具１３，１３…の角柱状の金具本体１３ａ，１３ａ…の側面の一部を接続子６の接続端６ａを連結させる接続部Ｌとしてある。この窪み穴状の開口部５，５…は後述する接続子６，６…の接続端６ａ，６ａ…を受け入れて端子金具１３，１３…に接続する通路を兼用している。
【００２９】
符号Ｃは、電力量計の取り換えや故障修理時のような所要時に、アダプタ本体Ｂに取り付けて使用されるコネクタであって、アダプタ本体Ｂの窪み穴状の開口部５，５…を通して同極の端子金具１３同士を短絡する３つの接続子６，６，６と、該３つの接続子６，６，６をそれぞれ内部に保持する１つの接続子ブロック７を備えている。該３つの接続子６，６，６は、図９に示すように、それぞれ相互の接触を避けるために中央、中程、外側と順次大形となる平面視コの字型に形成し、その両端をコの字型の基部側に折り返して、端子金具１３，１３…と連結する接続端６ａ，６ａ…としてある。そして、３つの接続子６，６，６は、接続子ブロック７に相互に隔離して組み込んで蓋体７ｃを被せてあり、その接続端６ａ，６ａ…は、アダプタ本体Ｂの窪み穴状の開口部５，５…を通して端子金具１３，１３…と連結することができるように、接続子ブロック７のアダプタ本体Ｂとの連結面７ｂから突出するようにしてある。
【００３０】
符合Ｄは、電力量計の取り換えや故障修理等を行わない平常時に、アダプタ本体Ｂに連結して使用される絶縁性のカバー体であり、図１１に見られるように、第１実施例と同様に、平板８ａの四辺から横断面形状コの字型になるように立ち上げられた立ち上げ辺８ｂと、固定ビス１０を挿通させるビス挿通穴８ｃが形成されている。
【００３１】
以上のごとく構成された電力量計アダプタは、端子金具１３，１３…の外部電線接続部１３ｂ，１３ｂ…に外部電線Ｋ，Ｋ…を挿通して固定し、外部電線Ｋ，Ｋ…とアダプタＢを連結し、他方、端子金具１３，１３…の出入力端子１２，１２…を電力量計Ａの出入力端子接続部１０，１０…に挿入して固定し、電力量計ＡとアダプタＢを連結し、この状態でアダプタＢのケース１４を壁面に取り付ける。
【００３２】
而して、通常は、図９及び図１１に見られるように、内面に絶縁用ラバーを貼着してある着脱自在なカバー体Ｄをアダプタ本体Ｂの正面側に被せることによって窪み穴状の開口部５，５…を閉じ、カバー体Ｄの固定ビス挿通穴８ｃを通してネジ孔１４ａにカバー体Ｄの固定ビス１０を螺入して閉鎖姿勢に保持しておく。電力量計の交換等の作業を行う場合は、固定ビス１０を取り外してカバー体Ｄを除去し、図１２に見られるように、コネクタＣの取付ビス挿通穴７ａを通してネジ孔１４ａにコネクタＣの取付ビス９を螺入することにより、コネクタＣをアダプタ本体Ｂに取り付ける。コネクタＣのアダプタ本体Ｂへの取り付けと同時に、接続子６，６…の接続端６ａ，６ａ…が端子金具１３，１３…と連結し、同極の端子金具１３同士が短絡する。これにより入力側の電線Ｋａ，Ｋａ…の電力を室内への出力側電線Ｋｂ，Ｋｂ…へ迂回させて通電させる。この状態で電力量計Ａの交換やこれを取外して行う補修を電力供給を停止させることなく行うことができる。作業終了後は、コネクタＣをアダプタ本体Ｂから取り外して再びカバー体Ｄを取り付けてアダプタ本体Ｂの窪み穴状の開口部５，５…を閉じておけばよい。
【００３３】
以上本発明の代表例と思われる実施例について説明したが、本発明の電力量計アダプタは、上述の実施例にのみ限定されるものではなく、その他本発明にいう前記の構成要件を備え、かつ本発明にいう目的を達成し、本発明にいう効果を有する範囲内において適宜改変して実施することができるものである。
【産業上の利用可能性】
【００３４】
本発明の電力量計アダプタは、従来品より構造が簡素で、設置容積を取らず、コストが低く、取り扱いも容易であることから、従来品に替わって普及し得る発明である。
【図面の簡単な説明】
【００３５】
【図１】第一実施例のコネクタを取り付けた電力量計アダプタの縦断側面図。
【図２】同カバー体を取り付けた電力量計アダプタの縦断側面図。
【図３】同電力量計アダプタにおけるアダプタ本体の正面図。
【図４】同図２におけるＥ−Ｅ線に沿った分解横断面図。
【図５】同接続金具図の斜視図。
【図６】同コネクタとアダプタを分解した横断面図。
【図７】同カバー体とアダプタを分解した横断面図。
【図８】接続子の斜視図
【図９】第二実施例のコネクタを取り付けた電力量計アダプタの縦断側面図。
【図１０】同アダプタ本体にコネクタを取り付けた状態の正面図。
【図１１】同図９におけるＦ−Ｆ線に沿ったアダプタ本体とコネクタの分解横断面図。
【図１２】同アダプタ本体とカバー体の分解横断面図。
【図１３】同アダプタ本体の斜視図。
【図１４】同コネクタの斜視図。
【符号の説明】
【００３６】
３  接続金具
５  窪み穴状の開口部
６  接続子
６ａ  接続端
１２  出入力端子
１３  端子金具
１４  ケース
Ａ  電力量計
Ｂ  アダプタ本体
Ｃ  コネクタ
Ｄ  カバー体
Ｋ  電線
Ｌ  接続部
【図１】
2005351694.tif 000003
【図２】
2005351694.tif 000004
【図３】
2005351694.tif 000005
【図４】
2005351694.tif 000006
【図５】
2005351694.tif 000007
【図６】
2005351694.tif 000008
【図７】
2005351694.tif 000009
【図８】
2005351694.tif 000010
【図９】
2005351694.tif 000011
【図１０】
2005351694.tif 000012
【図１１】
2005351694.tif 000013
【図１２】
2005351694.tif 000014
【図１３】
2005351694.tif 000015
【図１４】
2005351694.tif 000016